(57)【要約】【課題】  従来採用されている構成部品を変更せず、装置の奥行き寸法を低減することが可能な光ディスク装置の構造を提供する。【解決手段】  円板状の光ディスクを搭載して前後に移動するトレイユニット２０と、光ディスクを回転駆動するディスクモータ３１と光ピックアップ部３２を含めて一体に形成されたユニットメカシャーシ３０と、ディスクモータ３１や光ピックアップ部３２などの装置全体を制御する制御回路や信号処理回路を含めたプリント回路基板４０と、トレイユニットの前後の移動に伴ってユニットメカシャーシを筐体内部で上下方向に移動する機構部３７を備えた光ディスク装置は、ユニットメカシャーシの上下の移動によるプリント回路基板と干渉を避けるため、切欠部４１を回路基板の先端部に形成し、ユニットメカシャーシとプリント回路基板との間の電気的接続を切欠部を介してフレキシブルケーブルで形成する。【選択図】      図２
2006302437.tif 000002
【特許請求の範囲】
【請求項１】
装置筐体の前面部において、円板状の光ディスクを搭載するトレイを備えて前後に移動可能なトレイユニット部と、少なくとも当該トレイユニットに搭載された前記光ディスクを回転駆動する手段と前記光ディスクに対して移動可能で光を照射する光ピックアップ部とを含めて一体に形成されたユニットメカシャーシ部と、少なくとも前記回転駆動する手段及び前記光ディスクを制御する制御回路と共に、当該光ピックアップ部からの信号を処理する処理回路を搭載した回路基板部とを備えた光ディスク装置であって、前記トレイユニット部の前後の移動に伴って、前記光ピックアップ部を含むユニットメカシャーシ部を、前記筐体内部において上下方向に移動する機構部を備えており、かつ、前記ユニットメカシャーシ部の上下の移動に伴って生じる前記ユニットメカシャーシ部と前記回路基板部との間の干渉を避けるための切欠部を、前記回路基板部の一部に形成すると共に、前記切欠部を介して、前記ユニットメカシャーシ部と前記回路基板部との間の電気的接続をフレキシブルケーブルにより形成したことを特徴とする光ディスク装置。
【請求項２】
前記請求項１に記載した光ディスク装置において、前記切欠部は、前記ユニットメカシャーシ部の前記光ピックアップ部に対応して形成されていることを特徴とする光ディスク装置。
【請求項３】
前記請求項１に記載した光ディスク装置において、前記切欠部は矩形であることを特徴とする光ディスク装置。
【請求項４】
前記請求項３に記載した光ディスク装置において、前記回路基板部の一方の表面には、形成された前記矩形状の切欠部の近傍に、前記フレキシブルケーブルを接続するためのコネクタを設けていることを特徴とする光ディスク装置。
【請求項５】
前記請求項１に記載した光ディスク装置において、前記回路基板部は、前記装置筐体内部の後方に配置されると共に、前記切欠部は、前記回路基板部の前方に形成されていることを特徴とする光ディスク装置。
【発明の詳細な説明】
【技術分野】
【０００１】
本発明は、円板状の記録媒体である光ディスクの記録又は再生を行なうための光ディスク装置に係り、特に、パーソナルコンピュータにける情報記録媒体としての光ディスクを記録／再生する光ディスク装置に関する。
【背景技術】
【０００２】
近年、光ディスク装置は、大量の情報が記録可能であり、かつ、経済的にも優れた記録媒体である、例えばＣＤ−ＲＯＭやＤＶＤなど（以下、単に、「光ディスク」と言う）に対して情報を記録又は再生する装置として、パーソナルコンピュータにおける記憶媒体としても広く利用されてきている。なお、かかる光ディスク装置では、近年におけるパーソナルコンピュータの高速化や小型化に伴って、その読出／書込速度の上昇と共に、その小型化についても強く要求されている。
【０００３】
特に、デスクトップと呼ばれる寸法のパーソナルコンピュータでは、従来ワンインチハイトと呼ばれた高さ寸法を有する光ディスク装置は、ハーフハイト、即ち、高さが１／２インチへと、益々、小型化が進んでいる。また、コンピュータの筐体自体の小型化に伴って、その内部における各種部品を搭載するための空間も狭小になってきており、かかるコンピュータの内部に組み込まれることが多い光ディスク装置も、同様に、その小型化が強く要求されている。特に、光ディスク装置では、情報の記録／再生を行なう光ディスク自体が規格によって定められた所定寸法を有していることから、装置全体の幅には所定の限界があり、小型化を達成するための寸法としては、装置全体の高さや奥行き寸法を低減せざるを得なくなっている。
【０００４】
上述したパーソナルコンピュータ内蔵型の光ディスク装置の一般的な構造は、例えば、以下の特許文献１により知られるように、立方形（箱）状のケーシングの内部には、通常、所定の信号処理と共に装置全体の動作を制御するための制御部を構成するためのプリント回路基板、光ディスクを装着して高速で回転駆動するディスクモータ、当該高速回転する光ディスクにレーザ光を照射して情報の記録／再生を行なう光ピックアップ、当該光ピックアップを高速回転する光ディスクの半径方向に自在に移動するための移動機構等と共に、当該装置に対して光ディスクを着脱するためのディスクトレイやこれをローディングするための機構が高密度に組み込まれている。即ち、ディスクの回転により発生する振動を抑制するため、装置の前方にローディングシャーシを配置し、一方、その後方には基板を配置する構成を採用したものである。
【０００５】
【特許文献１】特開２００１−２２２８４６号公報
【発明の開示】
【発明が解決しようとする課題】
【０００６】
即ち、光ディスク装置、特に、上述した従来のパーソナルコンピュータ内蔵型の光ディスク装置では、上記プリント回路基板と共に、各種の構成要素やその移動機構等を含む部品がシャーシ上に取り付けられ、また、その移動箇所においては、所謂、フレキシブル配線などを利用して、互いに電気的に接続して配置されている。しかしながら、後にも詳細に説明するが、特に、立方形状のケーシングにおいて、特に、その奥行き寸法を低減しようとする場合には、ケーシングの底部に設けられるプリント回路基板と、上記ディスクモータや光ピックアップを搭載したユニット部品（所謂、ユニットメカシャーシ）との間で、光ディスクの着脱に伴ってその一部が互いに干渉し合う（衝突する）などの現象が観察された。そのため、光ディスク装置の奥行き寸法を低減することが不可能であるという問題点があった。
【０００７】
即ち、上記特許文献１に記載されたディスク装置では、装置前方にローディングシャーシを配置すると共に、その後方には基板を配置する構成を採るが、しかしながら、ドライブ装置の更なる奥行き方向での短縮化（即ち、ショートローダー）は、特に、通常の高さ寸法を有する光ピックアップを採用した場合（なお、高さ寸法の小さい光ピックアップも入手可能ではあるが、装置が高価となる）には困難であった。
【０００８】
そこで、本願発明では、上述した従来技術における問題点に鑑みて、より具体的には、今まで採用されている構成部品を大幅に変更することなく、装置の奥行き寸法を低減することが可能であり、かつ、比較的容易に実現することが可能な光ディスク装置の構造を提供することをその目的とする。
【課題を解決するための手段】
【０００９】
上述の目的を達成するため、本発明によれば、まず、装置筐体の前面部において、円板状の光ディスクを搭載するトレイを備えて前後に移動可能なトレイユニット部と、少なくとも当該トレイユニットに搭載された前記光ディスクを回転駆動する手段と前記光ディスクに対して移動可能で光を照射する光ピックアップ部とを含めて一体に形成されたユニットメカシャーシ部と、少なくとも前記回転駆動する手段及び前記光ディスクを制御する制御回路と共に、当該光ピックアップ部からの信号を処理する処理回路を搭載した回路基板部とを備えた光ディスク装置であって、前記トレイユニット部の前後の移動に伴って、前記光ピックアップ部を含むユニットメカシャーシ部を、前記筐体内部において上下方向に移動する機構部を備えており、かつ、前記ユニットメカシャーシ部の上下の移動に伴って生じる前記ユニットメカシャーシ部と前記回路基板部との間の干渉を避けるための切欠部を、前記回路基板部の一部に形成すると共に、前記切欠部を介して、前記ユニットメカシャーシ部と前記回路基板部との間の電気的接続をフレキシブルケーブルにより形成した光ディスク装置が提供される。
【００１０】
また、本発明では、前記した光ディスク装置において、前記切欠部は、前記ユニットメカシャーシ部の前記光ピックアップ部に対応して形成されており、また、前記切欠部は矩形であることが好ましく、更には、前記回路基板部の一方の表面には、形成された前記矩形状の切欠部の近傍に、前記フレキシブルケーブルを接続するためのコネクタを設けていることが好ましい。
【００１１】
加えて、本発明では、前記した光ディスク装置において、前記回路基板部は、前記装置筐体内部の後方に配置されると共に、前記切欠部は、前記回路基板部の前方に形成されていることが好ましい。
【発明の効果】
【００１２】
即ち、以上から明らかなように、本発明になる光ディスク装置によれば、装置の奥行き寸法を低減することが可能であり、これにより、今まで採用されている構成部品を大幅に変更することなく、かつ、比較的容易に、光ディスク装置の小型化を実現することが可能となるという優れた効果を発揮する。
【発明を実施するための最良の形態】
【００１３】
以下、本発明の実施の形態について、添付の図面を用いて詳細に説明する。なお、ここで、本実施の形態は、デスクトップ型のパーソナルコンピュータの筐体内に組込み可能な、所謂、ハーフハイトと呼ばれる高さ寸法を持ち、かつ、その奥行き寸法を低減（例えば、奥行き寸法：１７０ｍｍ（従来：１９０ｍｍ））した光ディスクドライブ（光ディスク装置）である。また、以下では、ＣＤ−ＲＯＭ（以下、「光ディスク」という）が装着される再生装置について説明するが、しかしながら、本発明は、ＣＤ−ＲＯＭに限定されることなく、例えば、ＤＶＤを含めた光ディスク一般について、再生だけではなく、更に、記録／再生する装置にも適用することが出来ることは、以下の説明からも明あらかであろう。
【００１４】
まず、添付の図１には、本実施の形態になる光ディスク装置全体の内部構成が示されている。すなわち、図において、光ディスク装置は、大略すると、例えば、樹脂によって、装置全体をその内部に収容するように形成された筐体（シャーシ）１０の内部には、光ディスク（図示せず）が載置されて当該シャーシに対して矢印方向に移動するトレイユニット２０と、光ディスク回転駆動用のディスクモータ３１や光ピックアップ３２等をその一部に搭載したユニットメカシャーシ３０と、そして、所定の信号処理と共に装置全体の動作を制御するための制御部（例えば、信号処理用ＩＣ、制御用ＩＣ、ＣＰＵ等）を搭載したプリント回路基板４０とを収納して構成されている。
【００１５】
なお、添付の図２には、本発明に関連する構成部分である、特に、上記トレイユニット２０、ユニットメカシャーシ３０、及び、プリント回路基板４０を、上記図１に示す光ディスク装置全体の内部構成から取り出した状態で示している。
【００１６】
図２において、まず、トレイユニット２０は、その略中央部に形成した凹部からなるディスクトレイ２１上に、図示しない光ディスクを搭載し、図示しないローディング機構の働きにより、上記筐体（シャーシ）１０の前面（前面ベゼル）から、図に矢印で示すように、前後の方向に移動する。即ち、トレイユニット２０が前進した状態（排出状態）において、光ディスクが光ディスク装置に対して着脱（装着／除去）することが可能となり、また、このトレイユニット２０は、上記前進した状態でディスクトレイ２１内に光ディスクを載せた後、或いは、ディスクトレイ２１から光ディスクを取り除いた後、例えば、所定の釦の押下などにより、図示しない移動機構の働きによって後退し、上記筐体（シャーシ）１０の内部に収納された状態となる。
【００１７】
次に、ユニットメカシャーシ３０は、図２からも明らかなように、外形略「口」状の枠（シャーシ）に、上記トレイユニット２０により装置内に収納された光ディスクをそのターンテーブル３３上に搭載して高速回転するためのディスクモータ３１が、その前方側に取り付けられている。また、このシャーシには、一対のスライドシャフト３４、３４が平行に取り付けられており、この一対のスライドシャフト３４、３４の間には、上記光ピックアップ３２が、図の矢印方向に摺動可能に取り付けられている。
【００１８】
なお、この上記光ピックアップ３２は、例えばステップモータ３５やラックアンドピニオン３６などの移動機構により、上記ターンテーブル３３上に搭載されて高速で回転する光ディスクの半径方向に、自在に、移動可能となっている。そして、上記のような構成を備えたユニットメカシャーシ３０は、図の破線Ａ−Ａで示す軸を中心として、上下方向に移動可能となっている。なお、このユニットメカシャーシ３０は、後にも詳細に示すが、上記トレイユニット２０の前後方向の移動に伴って、図に破線で示すように、上記筐体（シャーシ）１０の前面（前面ベゼル）近傍に設けられた上下移動機構３７の働きによって、上下方向に移動（上昇／下降）可能となっており、これにより、上記ターンテーブル３３及び光ピックアップ３２を、上記トレイユニット２０上に搭載されて装置内部に収納された光ディスクに対して、近接又は離隔（図の矢印を参照）する機能を果たす。
【００１９】
更に、信号処理用ＩＣ、制御用ＩＣ、ＣＰＵ等をその表面に搭載した（但し、本例では、裏側に搭載されている）プリント回路基板４０は、通常、上記トレイユニット２０の底部に（即ち、上記ユニットメカシャーシ３０の下部）に配置されている。そして、図からも明らかなように、本発明によれば、当該プリント回路基板４０の一部が、即ち、上記ユニットメカシャーシ３０の下方への移動に伴って、特に光ピックアップ３２が当接する部分を切り欠いている。換言すれば、当該プリント回路基板４０と上記光ピックアップ３２との干渉部分を除去するように、例えば、矩形（長方形）状の切欠部４１を設けている。なお、図中には、上記ユニットメカシャーシ３０の下方への移動による上記ステップモータ３５と上記光ピックアップ３２との位置（底部）が、破線により示されている。
【００２０】
なお、添付の図３（ａ）及び図３（ｂ）には、以上にその内部構造を説明した光ディスク装置において、特に、ユニットメカシャーシ３０に対して前後に移動可能に取り付けられた上記光ピックアップ３２と上記プリント回路基板４０との間の電気的な接続を行なうための構造を示す。なお、一般に、装置内で移動する光ピックアップ３２と、装置内に固定されたプリント回路基板４０との間の電気的な接続は、所謂、フレキシブルケーブル（又は、フレキシブル配線基）と呼ばれる（通常、フレキ）配線部品４２により行なわれる。
【００２１】
図３（ａ）は、上記のフレキシブルケーブル４２を利用した、光ピックアップ３２の側面に取り付けたフレキ用のコネクタ（ソケット）４３と上記プリント回路基板４０の上（表）面側に取り付けたフレキ用のコネクタ（ソケット）４３との間を電気的に接続した構造の一例を示している。なお、この場合には、上記フレキ用のコネクタ（ソケット）４３は、上記プリント回路基板４０の上（表）面側に設けられると共に、上記プリント回路基板４０を構成する信号処理用ＩＣ、制御用ＩＣ、ＣＰＵ等も、その表面側に搭載することができる（但し、これらの部品は、なお、基板の裏側に搭載することも可能である）。なお、この例では、図において破線で示すように、上記フレキシブルケーブル４２を、プリント回路基板４０上のコネクタ（ソケット）４３の反対側から差し込むようにすることも可能である。
【００２２】
また、図３（ｂ）は、上記のフレキシブルケーブル４２を利用して、光ピックアップ３２の側面に取り付けたフレキ用のコネクタ（ソケット）４３と上記プリント回路基板４０の下（裏）面側に取り付けたフレキ用のコネクタ（ソケット）４３との間を電気的に接続した構造の一例を示している。なお、この場合には、上記フレキ用のコネクタ（ソケット）４３は、上記プリント回路基板４０の下（裏）面側に設けられると共に、上記プリント回路基板４０を構成する信号処理用ＩＣ、制御用ＩＣ、ＣＰＵ等も、その裏面側に搭載することができる（但し、これらの部品は、なお、基板の表側に搭載することも可能である）。なお、放熱の観点からは、信号処理用ＩＣ、制御用ＩＣ、ＣＰＵ等を、装置の筐体の底部に近接して配置されるよう、即ち、上記プリント回路基板４０の裏面に搭載することが好ましいであろう。
【００２３】
なお、これらの図において、図中の符号４４は、上記フレキシブルケーブル４１の先端部を示しており、この先端部を、上記一対のコネクタ（ソケット）４３、４３のスリット４５内に挿入することにより、電気的な接続が図られる。また、図からも明らかなように、上記プリント回路基板４０側に取り付けるフレキ用のコネクタ（ソケット）４３は、上記矩形状の切欠部４１の底部、又は、その近傍において、上記光ピックアップ３２の移動方向に対して垂直方向に、取り付けられている。なお、この切欠部４１の形状は、上記した矩形に限定されることなく、例えば、添付の図４（ａ）〜図４（ｃ）に示すように、台形形状、半円又は半楕円形状、或いは、三角形状に形成することも可能である。即ち、当該プリント回路基板４０と上記光ピックアップ３２との間の干渉部分を除去するものであればよい。
【００２４】
続いて、以上にその詳細構造を説明した光ディスク装置の動作、特に、上述したトレイユニット２０への光ディスクの着脱に伴う、特に、ユニットメカシャーシ３０、そして、プリント回路基板４０の装置筐体１０内における動きについて、添付の図５（ａ）〜図５（ｃ）を参照しながら、以下に詳細に説明する。
【００２５】
まず、図５（ａ）は、上記トレイユニット２０、ユニットメカシャーシ３０、そして、プリント回路基板４０を、その上方から見た状態を示している。なお、この図示の状態では、上記トレイユニット２０において、上記光ピックアップ３２がターンテーブル３３（ディスクモータ３１）に最も近接した状態を示している。なお、図中の符号は、上記実施例の説明におけると同様であり、ここではその説明を省略する。
【００２６】
また、図５（ｂ）は、上記図５（ａ）を側面から見た図であり、なお、この図では、図示しないトレイユニット２０の移動に伴って、ユニットメカシャーシ３０が上昇した状態を示している。これは、例えば、ディスクトレイ上に光ディスクを載せたトレイユニット２０を後退させて装置内部に収納し、当該光ディスクの記録／再生を開始する場合の状態である。なお、この状態では、図からも明らかなように、プリント回路基板４０と上記ユニットメカシャーシ３０の光ピックアップ３２とは、互いに干渉（当接）することはない。
【００２７】
次に、図５（ｃ）は、図示しないトレイユニット２０の移動に伴って、ユニットメカシャーシ３０が下降した状態を示しており、これは、例えば、トレイユニット２０を排出しようとする場合、又は、排出したトレイユニット２０を後退させて装置内部に収納しようとする場合の状態を示している。即ち、上記トレイユニット２０の移動に伴い、当該ユニットが、上記トレイユニット２０に取り付けられたピックアップ３２やターンテーブル３３（ディスクモータ３１）に当接することを回避するため、ハーフハイトと呼ばれる光ディスクドライブ（光ディスク装置）では、一般的に採用されている動きである。
【００２８】
ここで、本発明のよりよい理解のため、添付の図６（ａ）〜図６（ｃ）により、従来の奥行き寸法の大きな光ディスク装置におけるユニットメカシャーシ３０とプリント回路基板４０との位置関係を説明する。なお、これらの図においても、上記と同様、図中の符号は、上記実施例の説明におけると同様であり、ここではその説明を省略する。なお、この従来の光ディスク装置におけるプリント回路基板４０では、上述したような切欠部４１は設けられていない。
【００２９】
そして、これらの図、特に、図６（ｃ）により明らかなように、図示しないトレイユニット２０の移動に伴ってユニットメカシャーシ３０が下降した状態でも、上記従来の奥行き寸法の大きな光ディスク装置では、プリント回路基板４０を装置の筐体の奥に配置することにより、当該プリント回路基板４０と上記光ピックアップ３２との干渉部分を避けることが可能であった。
【００３０】
しかしながら、上記図５（ａ）からも明らかなように、上述した光ディスク装置の小型化、特に、奥行き寸法の低減に伴って、上記プリント回路基板４０の先端部の位置が前方に移動することから、この回路基板の先端部がユニットメカシャーシ３０の一部、特に、ピックアップ３２やターンテーブル３３（ディスクモータ３１）に当接することとなる。
【００３１】
そこで、本発明では、上述したように、上記プリント回路基板４０の先端部（即ち、上記ユニットメカシャーシ３０のピックアップ３２に対向する側の先端部）に、当該プリント回路基板４０と上記光ピックアップ３２との干渉部分を除去するように、矩形状の切欠部４１を設ける。これにより、上記図５（ｃ）からも明らかなように、装置の奥行き寸法の低減に伴ってプリント回路基板４０の先端部が前方に移動しても、当該切欠部４１により、トレイユニット２０の移動に伴ってユニットメカシャーシ３０が下降した状態でも、光ピックアップ３２が当該プリント回路基板４０に接触（干渉）することを、容易に、回避することが可能となる。
【００３２】
また同時に、当該切欠部４１を利用することにより、即ち、当該切欠部４１の近傍にフレキ用のコネクタ（ソケット）４３を配置する配置構成よれば、装置内におけるピックアップ３２とプリント回路基板４０との間の関係を従前と同様に維持することが可能となり、もって、従来採用していたフレキシブルケーブル４２をそのまま利用しながら、ピックアップ３２とプリント回路基板４０との間の電気的な接続を得ることも可能となる。
【図面の簡単な説明】
【００３３】
【図１】本発明の一実施の形態になる光ディスク装置の全体構造を示す詳細斜視図である。
【図２】上記光ディスク装置における本発明に関連する構成部分を取り出して示す展開斜視図である。
【図３】上記光ディスク装置におけるユニットメカシャーシの光ピックアップとプリント回路基板との間の電気的な接続構造の例を示す一部拡大斜視図である。
【図４】上記光ディスク装置におけるプリント回路基板に形成する切欠部の変形例を示す図である。
【図５】本発明の光ディスク装置におけるユニットメカシャーシとプリント回路基板との位置関係を説明する図である。
【図６】従来の光ディスク装置におけるユニットメカシャーシとプリント回路基板との位置関係を説明する図である。
【符号の説明】
【００３４】
１０  筐体（シャーシ）
２０  トレイユニット
３０  ユニットメカシャーシ
３１  ディスクモータ
３２  光ピックアップ
３３  ターンテーブル
３４  スライドシャフト
３５  ステップモータ
３６  ラックアンドピニオン
３７  上下移動機構
４０  プリント回路基板
４１  切欠部
４２  フレキシブルケーブル
４３  フレキ用コネクタ（ソケット）
４４  フレキ先端部
４５  スリット。
【図１】
2006302437.tif 000003
【図２】
2006302437.tif 000004
【図３】
2006302437.tif 000005
【図４】
2006302437.tif 000006
【図５】
2006302437.tif 000007
【図６】
2006302437.tif 000008
【手続補正書】
【提出日】平成17年10月26日(2005.10.26)
【手続補正１】
【補正対象書類名】図面
【補正対象項目名】全図
【補正方法】変更
【補正の内容】
【図１】
2006302437.tif 000009
【図２】
2006302437.tif 000010
【図３】
2006302437.tif 000011
【図４】
2006302437.tif 000012
【図５】
2006302437.tif 000013
【図６】
2006302437.tif 000014